(57)【要約】【課題】ラベルを貼付する位置を作業者に特定させることができる通い箱の提供。【解決手段】底板部２とその周縁から立設された側壁部３とからなり、側壁部外面の所定位置にラベル貼付部７が設けられた合成樹脂製の通い箱であって、前記ラベル貼付部に、ラベル貼付を指示する表示９が設けられたことを特徴とする通い箱１。【選択図】  図２
2004323055.tif 000002
【特許請求の範囲】
【請求項１】
底板部とその周縁から立設された側壁部とからなり、側壁部外面の所定位置にラベル貼付部が設けられた合成樹脂製の通い箱であって、前記ラベル貼付部に、ラベル貼付を指示する表示が設けられたことを特徴とする通い箱。
【請求項２】
前記ラベル貼付部に複数の細リブが並設された請求項１に記載の通い箱。
【請求項３】
前記表示が側壁部外面から突出する凸文字である請求項１又は２に記載の通い箱。
【発明の詳細な説明】
【０００１】
【発明の属する技術分野】
本発明は、ラベルを貼付する位置を作業者に特定させる通い箱（クレート）に関する。
【０００２】
【従来の技術】
従来、食品、飲料入り容器等を多数収容し、搬送するための通い箱として、底板部とその周縁から立設された側壁部とからなる合成樹脂製の通い箱が用いられている（例えば、特許文献１〜５参照。）。
【０００３】
通い箱には、その配送先等を示すラベルを貼付する場所として、一般には箱表面上に線状の突起（リブ）が設けられている。
しかしこのリブは、箱表面の広範囲に及んだり、場合によってはリブ自体が設けられていない箱があり、ラベルは作業者によって不特定の場所へ貼付されてしまう可能性がある。その結果、箱を洗浄する場合に全表面について重点的に洗浄をしなければならず、洗浄に手間とコストがかかる問題がある。
また、ラベルが完全に剥離されない場合は、美観を損なうとともに、別の場所に新たなラベルが貼付されると、例えば配送先が２箇所になり、混乱を招いてしまう。
【０００４】
【特許文献１】
特開平９−２０７９４１号公報
【特許文献２】
特開平１１−３０１６７９号公報
【特許文献３】
特開平１０−１６９７３号公報
【特許文献４】
特開平８−１８３５３３号公報
【特許文献５】
特開平４−２６７７４２号公報
【０００５】
【発明が解決しようとする課題】
本発明は前記事情に鑑みてなされ、ラベルを貼付する位置を作業者に特定させることができる通い箱の提供を目的とする。
【０００６】
【課題を解決するための手段】
本発明は、前記目的を達成するため、底板部とその周縁から立設された側壁部とからなり、側壁部外面の所定位置にラベル貼付部が設けられた合成樹脂製の通い箱であって、前記ラベル貼付部に、ラベル貼付を指示する表示が設けられたことを特徴とする通い箱を提供する。
本発明の通い箱において、前記ラベル貼付部に複数の細リブが並設された構成とするのが好ましい。
また、前記表示が側壁部外面から突出する凸文字であることが好ましい。
【０００７】
【発明の実施の形態】
以下、図面を参照して本発明の実施の形態を説明する。
図１〜３は、本発明の通い箱の一実施例を示す図であり、図１は通い箱１の平面／底面図（右半分平面図、左半分底面図）、図２は通い箱１の側面図、図３は通い箱１の正面図である。
【０００８】
この通い箱１は、底板部２とその周縁から立設された側壁部３とからなる合成樹脂製の箱状体である。
底板部２は格子板になっており、軽量であり、洗浄時の水切れが良好である。
また側壁部３には、上端と下端に外側に向けて張り出したフランジ４が設けられ、また適所に複数の穴５が設けられている。また側壁部３には、縦横に複数のリブ６が設けられている。
【０００９】
側壁部３の外面には、ラベル貼付部７が設けられている。このラベル貼付部７には、縦方向に延びる線状の細リブ８が複数本並設されているとともに、中央上部には、このラベル貼付部７にラベルを貼付するように指示する表示９が設けられている。本例示では、表示９として「ラベル」と記してあるが、この表記は本例示に限定されず「ここにラベルを貼付して下さい」、「ＬＡＢＥＬ」、「ラベル貼付位置」などとすることもできる。また、この表示９を強調するために表示９を側壁部３と異なる色に着色することもできる。
【００１０】
このラベル貼付部７に設けられた細リブ８と表示９は、側壁部３外面から突出した凸条及び凸文字とされる。このように凸条の細リブ８と凸文字による表示９を設けたことにより、ラベル貼付部７にラベルを貼付すると、これらの細リブ８と表示９の突端部にラベルの裏面（貼着面）が貼着する。通い箱１の洗浄時、通い箱１を水、湯等の洗浄液に浸漬するか、洗浄液を噴射することにより、ラベル貼付部７に貼付されたラベルの貼着面には、細リブ８間の隙間から洗浄液がスムーズに到達し、ラベル貼着部７からラベルを取り除き易い。
【００１１】
この通い箱１は、側壁部３のラベル貼付部７に表示９を設け、ラベル貼付位置を作業者に特定させることにより、ラベル貼付部７に確実にラベルが貼付されるので、通い箱１を洗浄する際、ラベル貼付部７を集中的に洗浄することでラベルを除去することができ、洗浄の手間とコストを削減できる。
また、万一ラベルが完全に剥離されなくても、粘着剤や紙の跡が不特定の場所に付かないので美観上も好ましくなり、次のラベルを同じ位置に貼付するので、配送場所が２箇所であるかのような混乱を生じない。
【００１２】
図４と５は、本発明の通い箱の他の実施例を示す図であり、図４は通い箱１０の正面図、図５は通い箱１０の側面図である。
この通い箱１０は、底板部１１とその周縁から立設された側壁部１２とからなり、該側壁部１２は先の実施例による通い箱１の側壁部３と比べて、大きな高さ寸法を有しており、本実施例の通い箱１０は、比較的高さのある商品を収容できるようになっている。
【００１３】
この通い箱１０の底板部１１は、先の実施例による通い箱１の底板部２と同じく格子板になっており、軽量であり、洗浄時の水切れが良好である。
【００１４】
この通い箱１０の側壁部１２には、縦横に複数のリブ１３が設けられ、これらのリブ１３間には複数の穴１４が設けられている。側壁部１２の上部中央には、把持部１５となる大き目の穴が設けられている。
【００１５】
側壁部１２の下部中央には、ラベル貼付部１６が設けられている。このラベル貼付部１６には、縦方向に延びる線状の細リブ１７が複数本並設されているとともに、中央上部には、このラベル貼付部１６にラベルを貼付するように指示する表示１８が設けられている。本例示では、表示１８として「ラベル」と記してあるが、この表記は本例示に限定されず「ここにラベルを貼付して下さい」、「ＬＡＢＥＬ」、「ラベル貼付位置」などとすることもできる。また、この表示１８を強調するために表示１８を側壁部１２と異なる色に着色することもできる。
【００１６】
このラベル貼付部１８に設けられた細リブ１７と表示１８は、側壁部１２外面から突出した凸条及び凸文字とされる。このように凸条の細リブ１７と凸文字による表示１８を設けたことにより、ラベル貼付部１６にラベルを貼付すると、これらの細リブ１７と表示１８の突端部にラベルの裏面（貼着面）が貼着する。通い箱１０の洗浄時、通い箱１０を水、湯等の洗浄液に浸漬するか、洗浄液を噴射することにより、ラベル貼付部１６に貼付されたラベルの貼着面には、細リブ１７間の隙間から洗浄液がスムーズに到達し、ラベル貼着部１６からラベルを取り除き易い。
【００１７】
この通い箱１０は、側壁部１２のラベル貼付部１６に表示１８を設け、ラベル貼付位置を作業者に特定させることにより、ラベル貼付部１６に確実にラベルが貼付されるので、通い箱１０を洗浄する際、ラベル貼付部１６を集中的に洗浄することでラベルを除去することができ、洗浄の手間とコストを削減できる。
また、万一ラベルが完全に剥離されなくても、粘着剤や紙の跡が不特定の場所に付かないので美観上も好ましくなり、次のラベルを同じ位置に貼付するので、配送場所が２箇所であるかのような混乱を生じない。
【００１８】
【発明の効果】
本発明の通い箱は、側壁部のラベル貼付部に表示を設け、ラベル貼付位置を作業者に特定させることにより、ラベル貼付部に確実にラベルが貼付されるので、通い箱を洗浄する際、ラベル貼付部を集中的に洗浄することでラベルを除去することができ、洗浄の手間とコストを削減できる。
また、万一ラベルが完全に剥離されなくても、粘着剤や紙の跡が不特定の場所に付かないので美観上も好ましくなり、次のラベルを同じ位置に貼付するので、配送場所が２箇所であるかのような混乱を生じない。
【図面の簡単な説明】
【図１】本発明の通い箱の一実施例を示し、右半分が平面図、左半分が底面図である。
【図２】同じ通い箱の正面図である。
【図３】同じ通い箱の側面図である。
【図４】本発明の通い箱の他の実施例を示す正面図である。
【図５】同じ通い箱の側面図である。
【符号の説明】
１，１０…通い箱、２，１１…底板部、３，１２…側壁部、４…フランジ、５，１４…穴、６，１３…リブ、７，１６…ラベル貼付部、８，１７…細リブ、９，１８…表示、１５…把持部。
【図１】
2004323055.tif 000003
【図２】
2004323055.tif 000004
【図３】
2004323055.tif 000005
【図４】
2004323055.tif 000006
【図５】
2004323055.tif 000007